(57)【要約】  【課題】  回転する地球儀の特徴を活かすことができる、表示装置を利用する地球儀装置を提供することである。  【解決手段】  地球儀装置１は、地球儀本体３の地形図に対応する地図画像２２をテレビジョンモニタ２１に表示する。地球儀装置１は、地球儀本体３の回転を検出する回転センサ３５を有している。地球儀装置１は、回転センサ３５によって検出された地球儀本体３の回転に応じて、テレビジョンモニタ２１に表示された地図画像２２を変位させる。【選択図】  図２
2011018001.tif 000002
【特許請求の範囲】
【請求項１】
地球儀と、
前記地球儀に対応する地図画像を表示装置に表示する地図表示手段と、
前記地球儀の回転を検出する回転検出手段と、を備え、
前記地図表示手段は、前記回転検出手段によって検出された前記地球儀の回転に応じて、前記表示装置に表示された前記地図画像を変位させる、地球儀装置。
【発明の詳細な説明】
【技術分野】
【０００１】
本発明は、地球儀と、表示装置に表示された地図画像と、を対応させた地球儀装置及びその関連技術に関する。
【背景技術】
【０００２】
特許文献１は、地球儀を開示する。この地球儀の地形図上には、複数のタッチセンサが配置される。そして、触れられたタッチセンサが配置される地球儀の地形図上の位置に対応する文字や画像がディスプレイに表示される。
【先行技術文献】
【特許文献】
【０００３】
【特許文献１】特開２００２−１８２５５５号公報
【発明の概要】
【発明が解決しようとする課題】
【０００４】
しかしながら、特許文献１の地球儀は、回転するという機能を持つ地球儀の特徴を活かしているとは言えない。
【０００５】
そこで、本発明の目的は、回転する地球儀の特徴を活かすことができる、表示装置を利用する地球儀装置及びその関連技術を提供することである。
【課題を解決するための手段】
【０００６】
本発明の第１の観点によると、地球儀装置は、地球儀と、前記地球儀に対応する地図画像を表示装置に表示する地図表示手段と、前記地球儀の回転を検出する回転検出手段と、を備え、前記地図表示手段は、前記回転検出手段によって検出された前記地球儀の回転に応じて、前記表示装置に表示された前記地図画像を変位させる。
【０００７】
この構成によれば、地球儀の回転に応じて地図画像を変位する。従って、回転する地球儀の特徴を活かすことができる、表示装置を利用する地球儀装置を提供できる。このように、地図画像を地球儀の回転と連動させることにより、ユーザは、地球儀による学習を楽しみながら行うことができる。また、このような連動により、ユーザは、地球儀の操作による爽快感を得ることもできる。
【０００８】
さらに、地図画像を操作する点で、地球儀はコントローラとみなすこともできる。このように、本発明の地球儀は、新規なユーザインタフェースである地球儀型コントローラとして利用できる。ユーザは、このような地球儀型コントローラを利用して、学習やゲーム等を行うことができる。
【０００９】
本発明の第２の観点によると、映像制御方法は、地球儀に対応する地図画像を表示装置に表示するステップと、前記地球儀の回転を検出するステップと、を含み、表示する前記ステップでは、検出する前記ステップによって検出された前記地球儀の回転に応じて、前記表示装置に表示された前記地図画像を変位させる。
【００１０】
この構成によれば、上記第１の観点による地球儀装置と同様の効果を奏する。
【００１１】
本発明の第３の観点によると、コンピュータプログラムは、上記第２の観点による映像制御方法をコンピュータに実行させる。
【００１２】
この構成によれば、上記第１の観点による地球儀装置と同様の効果を奏する。
【００１３】
本発明の第４の観点によると、記録媒体は、上記第３の観点によるコンピュータプログラムを記録した記録媒体である。
【００１４】
この構成によれば、上記第１の観点による地球儀装置と同様の効果を奏する。
【００１５】
記録媒体には、例えば、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。実施の形態では、記録媒体は、図３のメモリ３３である。
【図面の簡単な説明】
【００１６】
【図１】本発明の実施の形態による地球儀システムの全体構成を示す図である。
【図２】図１の地球儀システムの動作を説明するための図である。
【図３】図１の地球儀装置１の電気的構成を示す図である。
【図４】図３のプロセッサ３１による処理の流れの一例を示すフローチャートである。
【発明を実施するための形態】
【００１７】
以下、本発明の実施の形態について、図面を参照しながら説明する。なお、図中、同一または相当部分については同一の参照符号を付してその説明を援用する。
【００１８】
図１は、本発明の実施の形態による地球儀システムの全体構成を示す図である。図１を参照して、この地球儀システムは、地球儀装置１及びテレビジョンモニタ２１を備える。地球儀装置１は、表面に地形図（地図の一種）が表され、球体である地球儀本体３を含む。地球儀本体３は、半円弧状のフレーム７により、軸５の回りに回転自在（時計回り及び反時計回り）に支持される。フレーム７の一方端部は、台座９に固定される。また、台座９には、上下左右に対応する方向キー１１、決定ボタン１３、キャンセルボタン１５、地球儀ボタン１７、及び、クイズボタン１９が設けられる。
【００１９】
地球儀装置１は、ＡＶケーブル２０により、テレビジョンモニタ２１と接続される。従って、地球儀装置１が生成したビデオ信号ＶＤ及びオーディオ信号ＡＵは、ＡＶケーブル２０により、テレビジョンモニタ２１に与えられる。これにより、テレビジョンモニタ２１は、地球儀装置１から受け取ったビデオ信号ＶＤに応じた映像を表示し、オーディオ信号ＡＵに応じた音声をそのスピーカから出力する。なお、テレビジョンモニタ２１は、表示装置の一例であり、地球儀装置１は、その他の表示装置に応じた映像信号及び音声信号を生成してもよい。
【００２０】
この地球儀システムでは、テレビジョンモニタ２１に映し出された映像は、地球儀本体３の回転に応じて変位する。この点を具体例を挙げながら説明する。
【００２１】
図２は、図１の地球儀システムの動作を説明するための図である。図２を参照して、ユーザの操作によって地球儀本体３が図中左方向（時計回り）に回転すると、その回転量に応じて、テレビジョンモニタ２１に表示された地図画像２２が図中左方向に変位(スクロール)し、地図画像２２により表される領域を変更する。一方、ユーザの操作によって地球儀本体３が図中右方向（反時計回り）に回転すると、その回転量に応じて、テレビジョンモニタ２１に表示された地図画像２２が図中右方向に変位(スクロール)し、地図画像２２により表される領域を変更する。このように、地球儀本体３の回転量及び回転方向に応じて、地球儀本体３の表面に表された地形図に対応する地図画像２２が水平方向に変位（スクロール）する。なお、地球儀本体３が３６０度回転（１回転）すると、再び同じ領域の地図画像２２が表示されるので、本実施の形態では、地図画像２２は、地球儀本体３の回転に応じて回転すると言うこともできる。
【００２２】
また、ユーザが方向キー１１の左方向キーを押下することにより、表示された地図画像２２を図中左方向に変位させることもできる。ユーザが方向キー１１の右方向キーを押下することにより、表示された地図画像２２を図中右方向に変位させることもできる。さらに、ユーザが方向キー１１の上方向キーを押下することにより、表示された地図画像２２を図中上方向に変位させることができる。ユーザが方向キー１１の下方向キーを押下することにより、表示された地図画像２２を図中下方向に変位させることができる。
【００２３】
さて、地球儀本体３は、地球儀ボタン１７の押下により、地球儀モードに入る。地球儀モードは、アメリカ合衆国、フランスといった有名国から、あまり知られていない国まで、世界のほとんどの国の名前と国旗を見たり、有名な国の観光名所などの説明を見て、地理を学習できるモードである。また、国の名前や国旗から、国の場所を検索できる。
【００２４】
例えば、地球儀モードでは、地球儀装置１は、地球儀本体３が回転あるいは方向キー１１が操作されると、テレビジョンモニタ２１に表示された地図画像２２を上下左右に変位し、現在表示している地図上の国名を表示する。また、地球儀装置１は、所定の操作により、詳細モードに入ると、テレビジョンモニタ２１にカーソル（例えば虫眼鏡の形態）を表示する。地球儀装置１は、方向キー１１の操作に応じて、カーソルを移動する。地球儀装置１は、このカーソルが位置する地図上の国の情報を、テレビジョンモニタ２１に表示したウィンドウ内に表示する。地球儀装置１は、所定の有名な国が選択されると、その国の各地方の音楽を生成し及び観光名所画像表示する。この場合、さらに、地球儀装置１は、その国又は地方の民族衣装をまとった人間を表す画像が、その国又は地方を説明する映像を生成する。
【００２５】
また、例えば、詳細モードでは、地球儀装置１は、テレビジョンモニタ２１の画面の所定位置に検索アイコンを表示する。地球儀装置１は、方向キー１１及び決定ボタン１３の操作により、この検索アイコンが選択されると、国名又は国旗を指定するウィンドウをテレビジョンモニタ２１に表示する。そして、地球儀装置１は、方向キー１１及び決定ボタン１３の操作により、国名又は国旗が指定されると、テレビジョンモニタ２１の地図画像２２を変位して、その国が位置する地図画像２２を表示し、かつ、地球儀本体３もまた、その国が見える位置に向かって回転する。
【００２６】
一方、地球儀本体３は、クイズボタン１９の押下により、クイズモードに入る。クイズモードは、世界の動物や名物を探し出して、その動物、名物の特徴や姿をチェックでき、同時にクイズも楽しめるモードである。クイズの後には、動物等をテレビジョンモニタ２１に三次元表示することができる。
【００２７】
例えば、地球儀装置１は、テレビジョンモニタ２１に表示した地図画像２２上に複数のオブジェクト（点滅画像）を表示する。そして、地球儀装置１は、カーソルにより、そのオブジェクトが選択されると、当該オブジェクトが配置された国（地方）で有名な生き物や名産品のクイズ（例えば選択問題）を表す画像を生成し、テレビジョンモニタ２１に表示する。なお、同時に対応する音声を生成することもできる。カーソルの操作は、詳細モードと同じである。例えば、ユーザは、複数の選択肢が表示される選択問題では、選択肢のいずれかをカーソルで選択することにより回答する。そして、地球儀装置１は、正解、不正解に関係なく、解答に対応する三次元画像（例えば、昆虫や動物等）をテレビジョンモニタ２１に表示する。この場合、地球儀装置１は、方向キー１１の操作に応じて、解答に対応する三次元画像を回転し、様々な角度からの目視を可能にする。
【００２８】
次に、地球儀装置１の電気的構成を説明する。
【００２９】
図３は、図１の地球儀装置１の電気的構成を示す図である。図３を参照して、地球儀装置１は、プロセッサ３１、メモリ３３、回転センサ３５、及びスイッチ群３７を備える。なお、これらの要素は、台座９に内蔵される。スイッチ群３７は、方向キー１１、決定ボタン１３、キャンセルボタン１５、地球儀ボタン１７、及びクイズボタン１９を含む。
【００３０】
プロセッサ３１には、メモリ３３が接続される。メモリ３３は、例えば、フラッシュメモリ、ＲＯＭ、及び／又はＲＡＭ等により構成される。メモリ３３は、プログラム領域、画像データ領域、および音声データ領域を含む。プログラム領域には、後述のフローチャートに示す処理をプロセッサ３１に実行させる制御プログラムが格納される。画像データ領域には、テレビジョンモニタ２１に表示される画面を構成するすべての画像データ（地図画像２２等）や、他の必要な画像データが格納されている。音声データ領域には、効果音や出題等ための音声データが格納されている。プロセッサ３１は、プログラム領域の制御プログラムを実行して、画像データ領域の画像データ及び音声データ領域の音声データを読み出し、必要な処理を施して、ビデオ信号ＶＤ並びにオーディオ信号ＡＵを生成する。ビデオ信号ＶＤ及びオーディオ信号ＡＵは、ＡＶケーブル２０を通して、テレビジョンモニタ２１に与えられる。
【００３１】
プロセッサ３１は、図示しないが、ＣＰＵ（Ｃｅｎｔｒａｌ  Ｐｒｏｃｅｓｓｉｎｇ  Ｕｎｉｔ）、グラフィックスプロセサ、サウンドプロセサおよびＤＭＡコントローラ等の各種機能ブロックを含むとともに、アナログ信号を取り込むときに用いられるＡ／Ｄコンバータ、赤外線信号やキー操作信号（本実施の形態ではスイッチ群３７からの操作信号）のような入力デジタル信号を受けかつ出力デジタル信号を外部機器に与える入出力制御回路、及び内部メモリ等を含む。
【００３２】
ＣＰＵは、メモリ３３に格納された制御プログラムを実行する。Ａ／Ｄコンバータからのデジタル信号および入出力制御回路からのデジタル信号はＣＰＵに与えられ、ＣＰＵは、制御プログラムに従って、それらの信号に応じて必要な演算を実行する。グラフィックスプロセサは、メモリ３３に格納された画像データに対して、ＣＰＵの演算結果によって必要になったグラフィック処理を実行して、テレビジョンモニタ２１に表示する画像を表すビデオ信号ＶＤを生成する。サウンドプロセサは、メモリ３３に格納された音声データに対して、ＣＰＵの演算結果によって必要になったサウンド処理を実行して、効果音等を表すオーディオ信号ＡＵを生成する。内部メモリは、例えば、ＲＡＭにより構成され、ワーキング領域、カウンタ領域、レジスタ領域、テンポラリデータ領域、及び／又はフラグ領域等として利用される。
【００３３】
さて、回転センサ３５は、ロータリエンコーダを含み、地球儀本体３の回転量（回転角度）及び回転方向を検出し、これらに応じた２本のパルス信号を生成して、プロセッサ３１に与える。プロセッサ３１は、これらのパルス信号を解析して、地球儀本体３の回転量（回転角度）及び回転方向を算出し、これらに応じて、テレビジョンモニタ２１に表示した地図画像２２を変位（スクロール）する。
【００３４】
次に、プロセッサ３１の処理の流れを説明する。
【００３５】
図４は、図３のプロセッサ３１による処理の流れの一例を示すフローチャートである。図４を参照して、プロセッサ３１は、メモリ３３に格納された制御プログラムを実行して、ステップＳ１〜Ｓ５の処理を実行する。ステップＳ１にて、プロセッサ３１は、地球儀本体３の地形図に対応する地図画像２２をテレビジョンモニタ２１に表示する。ステップＳ３にて、プロセッサ３１は、回転センサ３５からの信号を受けて、地球儀本体３の回転量（又は回転速度）及び回転方向を算出する。ステップＳ５にて、プロセッサ３１は、算出した地球儀本体３の回転量（又は回転速度）及び回転方向に応じて、テレビジョンモニタ２１に表示した地図画像２２を変位（スクロール）し、ステップＳ３に戻る。
【００３６】
さて、以上のように、本実施の形態によれば、地球儀本体３の回転に応じて地図画像２２を変位する。従って、回転する地球儀の特徴を活かすことができる、テレビジョンモニタ２１を利用する地球儀装置１を提供できる。このように、地図画像２２を地球儀本体３の回転と連動させることにより、ユーザは、地球儀による学習を楽しみながら行うことができる。また、このような連動により、ユーザは、地球儀本体３の操作による爽快感を得ることもできる。
【００３７】
さらに、地図画像２２を操作する点で、地球儀装置１はコントローラとみなすこともできる。このように、本実施の形態による地球儀装置１は、新規なユーザインタフェースである地球儀型コントローラとして利用できる。ユーザは、このような地球儀型コントローラを利用して、学習やゲーム等を行うことができる。
【００３８】
なお、本発明は、上記の実施の形態に限られるものではなく、その要旨を逸脱しない範囲で種々の態様において実施することが可能である。
【産業上の利用可能性】
【００３９】
本発明は、例えば、地理学習用教材を提供する分野やゲーム分野に利用可能である。
【符号の説明】
【００４０】
１…地球儀装置、２１…テレビジョンモニタ、３１…プロセッサ、３３…メモリ、３５…回転センサ、３７…スイッチ群。
【図３】
2011018001.tif 000003
【図４】
2011018001.tif 000004
【図１】
2011018001.tif 000005
【図２】
2011018001.tif 000006